(57)【要約】【課題】良好に通話をすることができる携帯電子機器、音声出力方法及び音声出力プログラムを提供すること。【解決手段】携帯電話機１は、通信部３３と、音声の入力を受け付けるマイク１２と、音声を出力するレシーバ２３と、音声の音質補正を行う補正部３５とを備え、通信部３３を用いて通話が行われている場合に、レシーバ２３は、マイク１２により入力され補正部３５により補正された音声と、通信部３３を用いて受信された音声とを出力することを特徴とする。【選択図】図２
2013048387.tif 000002
【特許請求の範囲】
【請求項１】
筐体と、
通信部と、
音声の入力を受け付ける入力部と、
音声を出力する出力部と、
音声の音質補正を行う補正部とを備え、
前記通信部を用いて通話が行われている場合に、前記出力部は、前記入力部により入力され前記補正部により補正された音声と、前記通信部を用いて受信された音声とを出力することを特徴とする携帯電子機器。
【請求項２】
前記補正部は、前記通信部を用いて受信した通話に係る音声の補正を行い、
前記出力部は、前記入力部により入力され前記補正部により補正が行われた音声と、前記通信部を用いて受信し前記補正部により補正が行われた音声とを出力する、
請求項１に記載の携帯電子機器。
【請求項３】
前記補正部は、前記入力部により入力された音声について、所定の周波数毎に補正を行う、
請求項１又は２に記載の携帯電子機器。
【請求項４】
前記入力部により入力された音声を、前記通信部側と前記補正部側とに出力する、
請求項１から３のいずれか１項に記載の携帯電子機器。
【請求項５】
前記補正部は、前記入力部により入力された音声と、前記通信部を用いて受信した音声とをミキシングし、該ミキシングされた音声の補正を行う、
請求項１から４のいずれか１項に記載の携帯電子機器。
【請求項６】
前記補正部は、前記入力部により入力された音声と、前記通信部を用いて受信した音声とを補正を行い、該補正が行われた２つの音声をミキシングする、
請求項１から４のいずれか１項に記載の携帯電子機器。
【請求項７】
操作部を備え、
前記制御部は、前記操作部による操作に応じて、前記補正部側への音声の出力を制御する、
請求項１から６のいずれか１項に記載の携帯電子機器。
【請求項８】
通信部と、音声の入力を受け付ける入力部と、音声を出力する出力部と、音声の音質補正を行う補正部とを備える携帯電子機器が音声を出力する音声出力方法であって、
前記通信部により通話が行われている場合に、前記出力部が、前記入力部により入力され前記補正部により補正された音声と、前記通信部を用いて受信した音声とを出力するステップを含む音声出力方法。
【請求項９】
通信部と、音声の入力を受け付ける入力部と、音声を出力する出力部と、音声の音質補正を行う補正部とを備える携帯電子機器に音声を出力させる音声出力プログラムであって、
前記通信部により通話が行われている場合に、前記出力部が、前記入力部により入力され前記補正部により補正された音声と、前記通信部を用いて受信した音声とを出力するステップを前記携帯電子機器に実行させる音声出力プログラム。
【発明の詳細な説明】
【技術分野】
【０００１】
本発明は、集音機能を有する携帯電子機器、音声出力方法及び音声出力プログラムに関する。
【背景技術】
【０００２】
聴力が低下した携帯電話装置のユーザが増加している。これに対して、筐体の外部から集めた音声をイヤホンに出力する第１モードと、通話先の音声をレシーバに出力する第２モードとを切り替える携帯電話装置が提案されている（例えば、特許文献１参照）。この携帯電話装置は、第１モードを機能させることでユーザの聴力低下を補うことができる。
【先行技術文献】
【特許文献】
【０００３】
【特許文献１】特開２００９−２６７８７７号公報
【発明の概要】
【発明が解決しようとする課題】
【０００４】
ところで、聴力が低下したユーザは、他人の声だけでなく、自分の声も小さく聞こえてしまう。このユーザは、必要以上に大きな声で話すことにより疲れてしまう。しかしながら、特許文献１に記載の携帯電話装置では、このような問題に対応することができず、良好に通話をすることができない。
【０００５】
本発明は、良好に通話をすることができる携帯電子機器、音声出力方法及び音声出力プログラムを提供することを目的とする。
【課題を解決するための手段】
【０００６】
本発明に係る携帯電子機器は、筐体と、通信部と、音声の入力を受け付ける入力部と、音声を出力する出力部と、音声の音質補正を行う補正部とを備え、前記通信部を用いて通話が行われている場合に、前記出力部は、前記入力部により入力され前記補正部により補正された音声と、前記通信部を用いて受信された音声とを出力することを特徴とする。
【０００７】
また、本発明に係る携帯電子機器では、前記補正部は、前記通信部を用いて受信した通話に係る音声の補正を行い、前記出力部は、前記入力部により入力され前記補正部により補正が行われた音声と、前記通信部を用いて受信し前記補正部により補正が行われた音声とを出力することが好ましい。
【０００８】
また、本発明に係る携帯電子機器では、前記補正部は、前記入力部により入力された音声について、所定の周波数毎に補正を行うことが好ましい。
【０００９】
また、本発明に係る携帯電子機器は、前記入力部により入力された音声を、前記通信部側と前記補正部側とに出力することが好ましい。
【００１０】
また、本発明に係る携帯電子機器では、前記補正部は、前記入力部により入力された音声と、前記通信部を用いて受信した音声とをミキシングし、該ミキシングされた音声の補正を行うことが好ましい。
【００１１】
また、本発明に係る携帯電子機器では、前記補正部は、前記入力部により入力された音声と、前記通信部を用いて受信した音声とを補正を行い、該補正が行われた２つの音声をミキシングすることが好ましい。
【００１２】
また、本発明に係る携帯電子機器は、操作部を備え、前記制御部は、前記操作部による操作に応じて、前記補正部側への音声の出力を制御することが好ましい。
【００１３】
本発明に係る音声出力方法は、通信部と、音声の入力を受け付ける入力部と、音声を出力する出力部と、音声の音質補正を行う補正部とを備える携帯電子機器が音声を出力する音声出力方法であって、前記通信部により通話が行われている場合に、前記出力部が、前記入力部により入力され前記補正部により補正された音声と、前記通信部を用いて受信した音声とを出力するステップを含む。
【００１４】
本発明に係る音声出力プログラムは、通信部と、音声の入力を受け付ける音声入力部と、音声を出力する音声出力部と、音声の音質補正を行う補正部とを備える携帯電子機器に音声を出力させる音声出力プログラムであって、前記通信部により通話が行われている場合に、前記出力部が、前記入力部により入力され前記補正部により補正された音声と、前記通信部を用いて受信した音声とを出力するステップを前記携帯電子機器に実行させる。
【発明の効果】
【００１５】
本発明によれば、良好に通話をすることができる。
【図面の簡単な説明】
【００１６】
【図１】第１実施形態に係る携帯電話機の外観斜視図である。
【図２】第１実施形態に係る携帯電話装置の機能を示すブロック図である。
【図３】第１実施形態に係る補正部の機能を示すブロック図である。
【図４】音質補正の調整ターゲット特性を示す図である。
【図５】聴力が低下していない人の聴力特性を示す図である。
【図６】聴力が低下した人の聴力特性を示す図である。
【図７】聴力が低下していない人の音の聴こえ方と、聴力が低下した人の音の聴こえ方とを対比する図である。
【図８】第２実施形態に係る補正部の機能を示すブロック図である。
【発明を実施するための形態】
【００１７】
以下、本発明の携帯電子機器としての携帯電話機について説明する。
［第１実施形態］
図１は、第１実施形態に係る携帯電話機の外観斜視図である。
図１に示すように、携帯電話機１は、第１筐体２と、第２筐体３と、を備える。また、携帯電話機１は、第１筐体２と第２筐体３とを開閉可能に連結する連結部４を備える。
【００１８】
第１筐体２は、操作部１１と、入力部としてのマイク１２と、電源操作部１７と、各種インターフェース（図示省略）とを備える。
操作部１１は、機能キー１３と、文字キー１４と、操作キー１５と、サイドキー１６とを有する。
【００１９】
機能キー１３は、携帯電話機１の各種設定、電話帳機能、又はメール機能等の各種機能の作動に用いられる。文字キー１４は、電話番号の数字又はメールの文字等の入力に用いられる。操作キー１５は、各種操作における決定又は上下左右方向のスクロール等に用いられる。サイドキー１６は、携帯電話機１の各種設定、電話帳機能、又はメール機能等の各種機能の作動に用いられる。
【００２０】
操作部１１を構成するキーのそれぞれは、機能が割り当てられる。この機能の割り当ては、携帯電話機１における開閉状態、各種モード又は起動されているアプリケーションの種類等に応じて変更される。これらのキーのそれぞれがユーザにより押圧されると、携帯電話機１は、キー押圧時に割り当てられている機能に応じて動作する。
【００２１】
マイク１２は、第１筐体２の長手方向における端部にある。このマイク１２は、連結部４と反対側にある。マイク１２は、携帯電話機１が開状態である場合の一方の端部に配置される。マイク１２は、ユーザが発した音声又は携帯電話機１の環境音等の入力を受け付ける。マイク１２は、入力された音声を後述の制御部３４に出力する。
【００２２】
電源操作部１７は、携帯電話機１の主電源をＯＮ又はＯＦＦにするための操作部である。
各種インターフェースは、外部機器（例えば、ホスト装置）と通信を行うためのインターフェースと、外部メモリの挿入及び取り出しが行われるインターフェースとを含む。各種インターフェースは、不使用時に、キャップにより覆われる。
【００２３】
第２筐体３は、表示部２１と、出力部としてのレシーバ２３と、サブ表示部とを備える。
【００２４】
表示部２１は、文字情報又は画像情報等の各種情報を表示可能に構成される。
レシーバ２３は、第２筐体３の長手方向における端部に配置される。レシーバ２３は、連結部４側と反対側にある。レシーバ２３は、携帯電話機１が開状態である場合の他方の外端部側に配置される。レシーバ２３は、音声を出力する。
【００２５】
連結部４は、開閉ヒンジ機構を有している。連結部４は、第１筐体２の端部と第２筐体３の端部との間に配置される。連結部４は、第１筐体２と第２筐体３とを互いに回動可能に連結する。ヒンジ機構は、第１筐体２と第２筐体３との回動の回動軸Ｚとなる。
【００２６】
携帯電話機１の機能構成について説明する。
図２は、第１実施形態に係る携帯電話機の機能構成を示すブロック図である。
図２に示すように、携帯電話機１は、操作部１１と、マイク１２と、電源操作部１７と、表示部２１と、ＬＣＤドライバ２２と、レシーバ２３と、記憶部３１と、ＬＣＤ処理部３２と、通信部３３と、制御部３４と、補正部３５とを備える。
【００２７】
記憶部３１は、複数のアプリケーションプログラムを記憶する。また、記憶部３１は、携帯電話機１の内部に固定されていてもよいし、着脱可能であってもよい。
【００２８】
ＬＣＤ処理部３２は、画像処理を行う。ＬＣＤ処理部は、処理後の画像データをＬＣＤドライバ２２に出力する。ＬＣＤドライバ２２は、フレームメモリを備えている。ＬＣＤドライバ２２は、ＬＣＤ処理部３２から供給された画像データをメモリに蓄える。そして、ＬＣＤドライバ２２は、メモリに蓄えられた画像データを表示部２１に出力する。画像処理を制御部３４で行う場合、このＬＣＤ処理部３２を省略してもよい。
【００２９】
通信部３３は、アンテナ部３３１と通信処理部３３２とを備える。
アンテナ部３３１は、所定の周波数帯（例えば、８００ＭＨｚ帯）で変調された信号により基地局と無線通信を行う。アンテナ部３３１は、通信処理部３３２により変調処理が行われた音声信号を基地局に送信する。アンテナ部３３１は、基地局を介して他の通信機器と通信を行う。
通信処理部３３２は、基地局に送信する信号を所定の周波数帯で変調処理する。通信処理部３３２は、基地局から受信した信号を所定の周波数で復調処理する。通信処理部３３２は、復調処理が行われた信号を制御部３４に出力する。
【００３０】
制御部３４は、携帯電話機１の全体を制御する。
制御部３４は、例えば、ＣＰＵ（Ｃｅｎｔｒａｌ  Ｐｒｏｃｅｓｓｉｎｇ  Ｕｎｉｔ）を含む。制御部３４は、複数のマイクロプロセッサを含んでいてもよい。
【００３１】
制御部３４は、マイク１２により入力された音声を、通信部３３と補正部３５とに出力する。制御部３４は、通信処理部３３２により入力された音声を補正部３５に出力する。制御部３４は、補正部３５から補正された音声が入力されると、この補正された音声をレシーバ２３に出力する。
【００３２】
制御部３４は、操作部１１による出力先を切り替える操作（切替操作）に応じて音声の出力先を変更する。制御部３４は、操作部１１による出力先を切り替える操作（切替操作）に応じて、通信処理部３３２により変調された音声の出力先を、補正部３５からレシーバ２３に切り替える。この場合、制御部３４は、マイク１２により入力された音声を通信部３３のみに出力する。
【００３３】
補正部３５は、入力された音声の音質補正を行う。
補正部３５の詳細な機能について図３を用いて説明する。図３は、第１実施形態に係る補正部３５の機能を示すブロック図である。補正部３５は、バランサ３５１と、ミキサ３５２と、調整部３５３とを備える。
バランサ３５１は、マイク１２から入力された音声の音量と、通話相手からの音声の音量とを調整する。バランサ３５１は、マイク１２から入力された音声の全周波数成分を小さくしたり、大きくしたりする。
ミキサ３５２は、マイク１２から入力された音声と、通信部３３を用いて受信した音声とをミキシングする。
【００３４】
調整部３５３は、入力された音声の音質補正を行う。調整部３５３は、音質補正が行われた音声を制御部３４に出力する。
図４は、音質補正の調整ターゲット特性を示す概念図である。調整部３５３は、図４のグラフに表示されている２本の折れ線の間の大きさに対応する音声となるように周波数毎に調整を行う。ここでは、周波数帯域で補正パラメータを設定している。例えば、調整部３５３は、１，６００Ｈｚの音声に対して、４０ｄＢ（デシベル）以上９０ｄＢ以下となるように調整する。
【００３５】
調整部３５３の音質補正の方法について説明する。図５は、聴力が低下していない人の聴力特性を示す図である。図６は、聴力が低下した人の聴力特性を示す図である。図７は、聴力が低下していない人の音の聴こえ方と、聴力が低下した人の音の聴こえ方とを対比する図である。
【００３６】
図５に示されるように、９０ｄＢ以上の領域と４０ｄＢ以下の領域とが区分けされている。図５に示されるように、４０ｄＢ以下の音は、聴力が低下していない人が聴き難いと感じる音である。９０ｄＢ以上の音は、一般的に、聴力が低下していない人がうるさいと感じる音である。図６に示されるように、聴力が低下した人が良好に聴こえる音の大きさは、聴力が低下していない人が良好に聴こえる音の大きさと比べた場合、高い周波数において異なる。例えば、聴力が低下した人は、周波数が３，０００Ｈｚにおいて、約６５ｄＢ以下の音が聴き難いと感じる。聴力が低下した人は、４，０００Ｈｚにおいて、約１００ｄＢの音でもうるさいと感じない。
【００３７】
図５及び図６には、母音、有声子音、無声子音の音の大きさが示されている。図５及び図６に示すように、母音及び有声子音は、通常、４０ｄＢから９０ｄＢの範囲に入る。無声子音は、通常、高周波数域の３０ｄＢから６０ｄＢの範囲に入る。無声子音は、母音及び有声子音に比べて小さい音と聴こえる傾向がある。
【００３８】
聴力が低下していない人は、図５に示すように、３００Ｈｚから３，４００Ｈｚまでの音について、４０ｄＢから９０ｄＢまで音声を聴くことができる。聴力が低下した人は、図６に示すように、音声の周波数が高くなるに従って、聴こえ難くなる傾向がある。聴力が低下した人は、母音が聴こえるものの、有声子音及び無声子音が聴こえ難くなってしまう傾向にある。
【００３９】
聴力が低下した人は、図７に示すように、所定の大きさの音より小さい音については、殆ど聴こえない。聴力が低下した人は、所定の大きさの音より大きい音については、聴力が低下していない人と同じように音を感じることができる。例えば、図７の範囲Ａに対応する大きさの音は、聴力が低下した人も聴力が低下していない人と同じように聴こえる。
調整部３５３は、聴こえる音圧の境界が大きくなった周波数の音を、境界よりも大きくなるようにゲイン調整を行う。このゲイン調整によって、聴力が低下した人にとって有声子音及び無声子音が聴きやすくなる。調整部３５３は、うるさく感じる音圧の境界が大きくなった周波数の音を、境界よりも小さくなるようにゲイン調整を行う。このゲイン調整によって、聴力が低下した人にとって相対的に大きい音も聴きやすくなる。
【００４０】
携帯電話機１は、音質補正の調整ターゲット特性を、年齢毎に設けるような構成でもよい。補正部３５は、操作部１１を介して年齢を受け付けたことに応じて、該年齢に対応する調整ターゲット特性に基づいて補正を行う。
携帯電話機１は、音質補正の調整ターゲット特性を、聴力の低下度合いに応じて複数段階で設定してもよい。このような構成の場合、補正部３５は、操作部１１を介して選択を受け付け、該選択された調整ターゲット特性に基づいて補正を行う。
【００４１】
以上、第１実施形態によれば、以下のような作用効果を奏する。
レシーバ２３は、マイク１２により入力されることにより補正部３５において補正された音声と、通信部３３を用いて受信された音声とを出力する。携帯電話機１では、補正後の自身の音声をレシーバ２３で聴くことができる。補正後の音声は、聴力が低下している人でも聴きやすい。聴力が低下している人は、通話時の自身の声を聴くことで、自身の声が相手に伝わっていることを認識できる。携帯電話機１では、適度な音量の声で通話できる。
【００４２】
レシーバ２３は、マイク１２により入力され補正部３５により補正が行われた音声と、通信部３３を用いて受信し補正部３５により補正が行われた音声とを出力する。携帯電話機１では、補正された通話相手の音声が出力されるので、相手の声を聴きやすい。
【００４３】
補正部３５は、マイク１２により入力された音声について、所定の周波数毎に補正を行う。携帯電話機１は、例えば、聴力が低下した人にとって聴き難い有声子音及び無声子音を増幅できる。携帯電話機１は、有声子音及び無声子音を、聴力が低下した人にとって聴こえやすくできる。
【００４４】
通信部３３は、マイク１２に入力された音声を補正することなく送信することができる。
【００４５】
補正部３５は、マイク１２により入力された音声と、通信部３３を用いて受信した音声とがミキシングされた音声の補正を行う。携帯電話機１は、マイク１２により入力された音声と、通信部３３を用いて受信した音声とを同時に補正することができる。携帯電話機１では、補正処理を簡便にして、処理遅れを起因とした音声の遅れが生じるのを低減することができる。
【００４６】
制御部３４は、操作部１１による操作に応じて、補正部３５側に音声の出力を行うか否かの切り替えを行う。携帯電話機１は、ユーザが音声の補正を所望する場合のみ、音声の補正を行うことができる。例えば、聴こえ方の異なる複数の人で使用する場合に、これら複数の人それぞれは、自身の状況に合わせて音声の補正を行うことができる。
【００４７】
［第２実施形態］
図８を用いて第２実施形態について説明する。
図８は、第２実施形態に係る補正部の機能を示すブロック図である。
第２実施形態に係る携帯電話機では、２つの点が第１実施形態と異なり、その他の構成は第１実施形態と同様である。なお、第１実施形態の携帯電話機１と同一の構成については、同一の符号を付し、詳細な説明を省略する。１点目は、マイク１２から入力された音声の補正、及び通信部３３を用いて受信した音声の補正をそれぞれ独立して行う点である。２点目は、補正された２つの音声のミキシングを行う点である。
【００４８】
図８に示すように、補正部３５Ａは、第１調整部３５３Ａと、第２調整部３５３Ｂと、ミキサ３５２とを備える。
第１調整部３５３Ａは、入力された音声の音質補正を行う。入力された音声とは、通信処理部３３２により復調処理された音声信号のことである。第１調整部３５３Ａは、第１実施形態で説明した方法と同様の方法で入力された音声の補正を行う。第１調整部３５３Ａは、音質補正が行われた音声をミキサ３５２に出力する。
【００４９】
第２調整部３５３Ｂは、入力された音声の調整を行う。入力された音声とは、マイク１２により入力された音声のことである。第２調整部３５３Ｂは、第１実施形態のバランサ３５１と同様の機能を有する。第２調整部３５３Ｂは、マイク１２から入力された音声の音量を調整して、マイク１２から入力された音声の音量と、通話相手からの音声の音量とのバランスを調整する。第２調整部３５３Ｂは、マイク１２から入力された音声の全周波数成分を小さくしたり、大きくしたりする。そして、第２調整部３５３Ｂは、第１実施形態で説明した方法と同様の方法で入力された音声の補正を行う。第２調整部３５３Ｂは、音質補正が行われた音声をミキサ３５２に出力する。
第１調整部３５３Ａにおいて用いられる音質補正の調整ターゲット特性と、第２調整部３５３Ｂにおいて用いられる音質補正の調整ターゲット特性とは、それぞれ異なるものであってよい。
【００５０】
ミキサ３５２は、補正が行われた２つの音声をミキシングする。ミキサ３５２は、ミキシングされた音声をレシーバ２３に出力する。
【００５１】
以上、第２実施形態によれば、通信部３３を用いて通話が行われている場合に、マイク１２により入力された音声と、通信部３３を用いて受信した音声との補正を行い、該補正が行われた２つの音声をミキシングする。携帯電話機は、マイク１２により入力された音声と、通信部３３を用いて受信した音声とのそれぞれについて、個別に最適な補正を行うことができる。
【００５２】
以上、好適な実施形態について説明したが、本発明は上述した実施形態に限定されることなく種々の形態で実施することができる。例えば、上述の実施形態において、携帯電子機器として携帯電話機１について説明しているが、これに限定されない。例えば、携帯電子機器は、ＰＨＳ（登録商標：Ｐｅｒｓｏｎａｌ  Ｈａｎｄｙ  ｐｈｏｎｅ  Ｓｙｓｔｅｍ）等であってもよい。
【００５３】
上述の実施形態において、制御部３４は、マイク１２から入力された音声と、復調処理された音声とが補正部３５に出力されている場合に操作部１１により切替操作が行われたとき、当該音声の出力先をレシーバ２３に切り替えることとしたが、これに限定されない。制御部３４は、マイク１２から入力された音声と、復調処理された音声とが補正部３５に出力されている場合に操作部１１により切替操作が行われたとき、通信処理部３３２側から入力された音声をレシーバ２３に出力すると共に、マイク１２側から入力された音声を補正部３５に出力するようにしてもよい。
【００５４】
制御部３４は、マイク１２から入力された音声と、復調処理された音声とが補正部３５に出力されている場合に操作部１１により切替操作が行われたとき、マイク１２から入力された音声と、通信処理部３３２側から入力された音声とをレシーバ２３に出力するようにしてもよい。
【００５５】
制御部３４は、操作部１１により、上述したレシーバ２３、補正部３５、及び通信部３３への出力パターンから、選択を受け付けるようにしてもよい。この場合、制御部３４は、選択された出力パターンに基づいて、レシーバ２３、補正部３５、及び通信部３３への音声の出力制御を行う。
【００５６】
上述の実施形態において、制御部３４は、マイク１２により入力された音声を、通信部３３に直接出力することとしたが、これに限らない。制御部３４は、補正部３５により補正された音声を通信部３３に出力するようにしてもよい。
【００５７】
本実施形態では、いわゆる折り畳み型の携帯電話装置の形態を示したが、これに限定されない。本発明に係る携帯電話機は、第１筐体２と第２筐体３とが一つの筐体に配置され連結部を有さない型式（ストレートタイプ）であってもよい。本発明に係る携帯電話機は、第１筐体２と第２筐体３とを重ね合わせた状態から一方の筐体を一方向にスライドさせるようにしたスライド式であってもよい。本発明に係る携帯電話装置は、第１筐体２と第２筐体３との重ね合せ方向に沿う軸線を中心に一方の筐体を回転させるようにした回転式であってもよい。
【００５８】
本発明には、通信部と、音声の入力を受け付ける入力部と、音声を出力する出力部と、音声の音質補正を行う補正部とを備える携帯電子機器が音声を出力する音声出力方法であって、前記通信部により通話が行われている場合に、前記出力部が、前記入力部により入力され前記補正部により補正された音声と、前記通信部を用いて受信した音声とを出力するステップを含む音声出力方法が含まれる。
【００５９】
本発明には、通信部と、音声の入力を受け付ける音声入力部と、音声を出力する音声出力部と、音声の音質補正を行う補正部とを備える携帯電子機器に音声を出力させる音声出力プログラムであって、前記通信部により通話が行われている場合に、前記出力部が、前記入力部により入力され前記補正部により補正された音声と、前記通信部を用いて受信した音声とを出力するステップを前記携帯電子機器に実行させる音声出力プログラムが含まれる。
【符号の説明】
【００６０】
１  携帯電話機（携帯電子機器）
１２  マイク（入力部）
２３  レシーバ（出力部）
３３  通信部
３４  制御部
３５、３５Ａ  補正部
【図１】
2013048387.tif 000003
【図２】
2013048387.tif 000004
【図３】
2013048387.tif 000005
【図４】
2013048387.tif 000006
【図５】
2013048387.tif 000007
【図６】
2013048387.tif 000008
【図７】
2013048387.tif 000009
【図８】
2013048387.tif 000010